(57)【要約】      （修正有）【課題】構造が簡易且つ安価で、各種の帽子やヘルメットに後付可能で、日除け部材の着脱が容易な日除け部材用フック及び日除け部材を提供する。【解決手段】細巾の薄板状で、略Ｕ字状に曲げられた日除け部材用フック本体１０と、日除け部材用フック本体１０の一端が板面に対する側面視で逆Ｕ字状に形成され、帽子Ｃやヘルメットの帯体Ｃ１に係止可能な帽子側係止部１２と、日除け部材用フック本体１０の他端に、日除け部材に穿設されたボタン孔２２に挿通可能に設けられた日除け部材側係止部１４とを備えることを特徴とする。【選択図】図３
0003188143.tif 000002
【実用新案登録請求の範囲】
【請求項１】
帽子やヘルメットの周囲に垂らして用いるシート状の日除け部材を、該帽子や該ヘルメットに装着するための日除け部材用フックにおいて、
細巾の薄板状で、略Ｕ字状に曲げられた日除け部材用フック本体と、
該日除け部材用フック本体の一端が板面に対する側面視で逆Ｕ字状に形成され、該帽子や該ヘルメットの帯体に係止可能な帽子側係止部と、
該日除け部材用フック本体の他端に、該日除け部材に穿設されたボタン孔に挿通可能に設けられた日除け部材側係止部とを備えることを特徴とする日除け部材用フック。
【請求項２】
前記日除け部材側係止部の端部が、板面視で円盤状に形成されたボタン形状部を備えることを特徴とする請求項１記載の日除け部材用フック。
【請求項３】
帽子やヘルメットの周囲に垂らして用いる日除け部材において、
シート状で、上辺の長さが該帽子や該ヘルメットの後方の周囲を覆うことが可能な長さで、且つ該帽子や該ヘルメットの装着者の首筋を覆うことが可能な面積を有する日除け部材本体からなり、
細巾の薄板状で板面に対する側面視で略Ｕ字状に該帽子や該ヘルメットの周囲から突出する日除け部材用フックの日除け部材側係止部が挿通可能なボタン孔が、該日除け部材本体の該上辺付近に横方向に複数穿設されていることを特徴とする日除け部材。
【考案の詳細な説明】
【技術分野】
【０００１】
本考案は、帽子やヘルメットの周囲に垂らして用いるシート状の日除け部材を帽子やヘルメットに装着するための日除け部材用フックに関する。
【背景技術】
【０００２】
従来より、帽子やヘルメットの周囲に垂らして用いるシート状の日除け部材が提案されている。そして、帽子やヘルメットに日除け部材を装着する方法としても、いろいろ提案されている。
【０００３】
例えば、特許文献１に示される帽子用装着具がある。この帽子用装着具は、弾性線条体と弾性線条体の少なくとも適宜の２点以上に取り付けられた着脱具と、弾性線条体に摺動可能に取り付けられる懸吊具を有するカーテン状の日除け部材とを備えている。すなわち、帽子にカーテンレール状の弾性線条体を設け、弾性線条体を介してカーテン状の日除け部材を帽子に設けている。
【先行技術文献】
【特許文献】
【０００４】
【特許文献１】特開２００８−１３３５５０号公報
【考案の概要】
【考案が解決しようとする課題】
【０００５】
しかしながら、従来の例えば帽子用装着具では、構造が複雑で、日除け部材の加工も煩雑な上、着脱具自体もコストが掛かり、また帽子等への装着も容易ではない。
【０００６】
本考案は、このような事情に鑑みてなされたもので、構造が簡易且つ安価で、各種の帽子やヘルメットに後付可能で、日除け部材の着脱が容易な日除け部材用フック及び日除け部材を提供することにある。
【課題を解決するための手段】
【０００７】
請求項１記載の日除け部材用フックは、細巾の薄板状で、略Ｕ字状に曲げられた日除け部材用フック本体と、日除け部材用フック本体の一端が板面に対する側面視で逆Ｕ字状に形成され、帽子やヘルメットの帯体に係止可能な帽子側係止部と、日除け部材用フック本体の他端に、日除け部材に穿設されたボタン孔に挿通可能に設けられた日除け部材側係止部とを備えることを特徴とする。
【０００８】
請求項２記載の日除け部材用フックは、日除け部材側係止部の端部が、板面視で円盤状に形成されたボタン形状部を備えることを特徴とする。
【０００９】
請求項３記載の日除け部材は、シート状で、上辺の長さが帽子やヘルメットの後方の周囲を覆うことが可能な長さで、且つ帽子やヘルメットの装着者の首筋を覆うことが可能な面積を有する日除け部材本体からなり、細巾の薄板状で板面に対する側面視で略Ｕ字状に帽子やヘルメットの周囲から突出する日除け部材用フックの日除け部材側係止部が挿通可能なボタン孔が、日除け部材本体の上辺付近に横方向に複数穿設されていることを特徴とする。
【考案の効果】
【００１０】
本願の考案の日除け部材用フック及び日除け部材によれば、構造が簡易且つ安価で、各種の帽子やヘルメットに後付可能で、日除け部材の着脱が容易である。
【図面の簡単な説明】
【００１１】
【図１】本考案に係る日除け部材用フックの一例を示す説明図である。
【図２】同日除け部材用フック及び本考案に係る日除け部材の使用方法の一例を示す説明図である。
【図３】図２のＡ−Ａ’線矢視断面を示す説明図である。
【図４】同日除け部材用フック及び本考案に係る日除け部材の他の使用方法を示す説明図である。
【考案を実施するための形態】
【００１２】
以下、本発明の形態について図面を参照しながら具体的に説明する。図１は、本考案に係る日除け部材用フックの一例を示す説明図である。図２は、同日除け部材用フック及び本考案に係る日除け部材の使用方法の一例を示す説明図である。図３は、図２のＡ−Ａ’線矢視断面を示す説明図である。図４は、同日除け部材用フック及び本考案に係る日除け部材の他の使用方法を示す説明図である。
【００１３】
図における日除け部材用フック１は、帽子ＣやヘルメットＨの周囲に垂らして用いるシート状の日除け部材本体２０を、帽子ＣやヘルメットＨに装着するためのものである。日除け部材用フック１は、細巾の薄板状で、略Ｕ字状に曲げられた日除け部材用フック本体１０からなり、日除け部材用フック本体１０の一端が板面に対する側面視で逆Ｕ字状に形成され、帽子ＣやヘルメットＨの帯体に係止可能な帽子側係止部１２が形成されている。
【００１４】
また、日除け部材用フック本体１０の他端には、後述する日除け部材本体２０に穿設されたボタン孔２２に挿通可能に設けられた日除け部材側係止部１４が形成されている。この日除け部材側係止部１４の端部には、板面視で円盤状に形成されたボタン形状部１６を備える。尚、図の日除け部材用フック１は、帽子側係止部１２を形成する日除け部材用フック本体１０は、巾広であるのに対し、日除け部材側係止部１４は、巾狭である。
【００１５】
尚、日除け部材用フック１の材質は、金属でも樹脂でも良いが、後述する日除け部材本体２０を引っ張ったような時に破壊したり変形したりしない材質が望ましい。
【００１６】
日除け部材２は、シート状で、上辺の長さが帽子ＣやヘルメットＨの後方の周囲を覆うことが可能な長さで、且つ帽子ＣやヘルメットＨの装着者の首筋を覆うことが可能な面積を有する日除け部材本体２０からなる。また、日除け部材用フック１の日除け部材側係止部１４（ボタン形状部１６）が挿通可能なボタン孔２２が、日除け部材本体２０の上辺付近に横方向に複数穿設されている。
【００１７】
尚、日除け部材本体２０の材質は、日差しを遮ることが可能であれば、布でも、合成樹脂のシートであってもよい。また、日除け部材本体２０の形状も、図に示すような長方形の組み合わせである必要はなく、逆扇状等の形状であってもよい。
【００１８】
次に、本実施の形態における日除け部材用フック１及び日除け部材２の使用方法を説明する。まず、帽子Ｃに日除け部材用フック１を装着する場合、図３に示されるように、帽子Ｃの内側の帯体Ｃ１に、日除け部材用フック１の帽子側係止部１２を係止させ、日除け部材側係止部１４（ボタン形状部１６）が、帽子Ｃの外側に突出するようにする。図２及び図３に示すように、帽子Ｃの側方〜後方〜側方にかけて、複数の日除け部材用フック１を同様に帽子Ｃに装着する。
【００１９】
次に、日除け部材２の日除け部材本体２０の上辺部分を帽子Ｃの日除け部材用フック１のある縁に沿わせつつ、各日除け部材用フック１の日除け部材側係止部１４（ボタン形状部１６）を、日除け部材本体２０のボタン孔２２に挿通させる。これにより、日除け部材２が日除け部材用フック１に係止され、日除け部材２が帽子Ｃに装着される。
【００２０】
ヘルメットＨに日除け部材２を装着させる場合も、ヘルメットＨの内部に帯体がある場合は、その帯体を使って日除け部材用フック１をヘルメットＨに装着させるようにすればよい。尚、帽子ＣやヘルメットＨの内側に帯体Ｃ１がない場合には、図４に示すように、例えばゴムバンドをヘルメットＨの周囲に外側から円環状に被せて帯体３０とし、その帯体３０に日除け部材用フック１を装着するようにしてもよい。
【００２１】
以上のような構成の日除け部材用フック１及び日除け部材２は、構造が簡易且つ安価で、各種の帽子ＣやヘルメットＨに後付可能で、日除け部材２の着脱が容易である。特に、日除け部材用フック１の日除け部材側係止部１４の端部が、ボタンのような形状のボタン形状部１６になっており、日除け部材２側もボタン孔２２であることから、ボタンを嵌めるような感覚で日除け部材用フック１に日除け部材２を係止可能で、着脱が容易である。さらに、ボタン形状であることから、日除け部材用フック１から日除け部材２が抜け落ちにくい。
【産業上の利用可能性】
【００２２】
本考案により、構造が簡易で、各種の帽子やヘルメットに後付可能で、日除け部材の着脱が容易な日除け部材用フック及び日除け部材を提供することができる。
【符号の説明】
【００２３】
１・・・・日除け部材用フック
２・・・・日除け部材
１０・・・日除け部材用フック本体
１２・・・帽子側係止部
１４・・・日除け部材側係止部
１６・・・ボタン形状部
２０・・・日除け部材本体
２２・・・ボタン孔
３０・・・帯体
Ｃ・・・・帽子
Ｃ１・・・帯体
Ｈ・・・・ヘルメット
【図１】
0003188143.tif 000003
【図２】
0003188143.tif 000004
【図３】
0003188143.tif 000005
【図４】
0003188143.tif 000006